(57)【要約】【課題】流体中に存在する異物を除去するための異物除去装置を提供する。【解決手段】異物除去装置は、羽根車１と、羽根車１を回転させるモータと、羽根車１を内部に配置するためのケーシング２と、ケーシング２に接続され、流体が流れ出す流出流路を備える。流体に混入している異物を分離するためのフィルタ１１を備える。流出流路は、異物を取り除くための異物回収流路６を含む。異物回収流路６は、ケーシング２の底部に接続されている。フィルタ１１は、異物回収流路６に配置されている。【選択図】図２
2008261241.tif 000002
【特許請求の範囲】
【請求項１】
羽根車と、
前記羽根車を回転させる駆動機器と、
前記羽根車を内部に配置するためのケーシングと、
前記ケーシングに接続され、流体が流れ出す流出流路と、
前記流体に混入している異物を分離するための異物分離機器と
を備え、
前記流出流路は、異物を取り除くための異物回収流路を含み、
前記異物回収流路は、前記ケーシングの底部に接続され、
前記異物分離機器は、前記異物回収流路に配置されている、異物除去装置。
【請求項２】
前記羽根車は、回転軸となるシャフトと、
前記シャフトに固定されている複数の羽根部と
を含み、
前記羽根部は、板状に形成され、
前記羽根部は、前記シャフトから外側に向かうように配置され、
前記羽根部は、面積が最大になる面積最大面が回転方向に対してほぼ垂直になるように配置されている、請求項１に記載の異物除去装置。
【請求項３】
前記ケーシングの内面に固定されている異物除去ブラシを備え、
前記異物除去ブラシは、前記羽根車が回転することにより前記羽根部に接触するように配置されている、請求項１または２に記載の異物除去装置。
【請求項４】
前記異物分離機器は、異物を除去するためのフィルタを含む、請求項１から３のいずれかに記載の異物除去装置。
【請求項５】
前記流出流路は、前記異物回収機器を通らずに前記流体を排出するための排出流路を含む、請求項１から４のいずれかに記載の異物除去装置。
【発明の詳細な説明】
【技術分野】
【０００１】
本発明は、異物除去装置に関する。
【背景技術】
【０００２】
近年においては、ハイブリッド自動車（Hybrid Vehicle）、電気自動車（Electric Vehicle）および燃料電池（Fuel Cell）を搭載した燃料電池車などの電力を動力源とする車が注目されている。ハイブリッド自動車は、従来のエンジンに加え、モータを動力とする自動車である。
【０００３】
ハイブリッド自動車は、エンジンを駆動して動力を得るとともに、直流電源からの直流電圧を交流電圧に変換し、変換された交流電圧によりモータを駆動することによって動力を得る自動車である。また、電気自動車は、直流電源からの直流電圧を変換した交流電圧によりモータを駆動して動力を得る自動車である。
【０００４】
このような自動車においては、直流電圧を交流電圧に変換するための電力変換器が搭載される。電力変換器には、たとえば、インバータやコンバータなどのパワー半導体素子が含まれる。パワー半導体素子には、たとえば、ＭＯＳＦＥＴ（Metal Oxide Semiconductor Field-Effect Transistor）、ＩＧＢＴ（絶縁ゲート型バイポーラトランジスタ）等が含まれる。
【０００５】
自動車に搭載される電力変換器においては、高い動力性能を得るために大電力を必要とする場合がある。大電力の電力変換器等は、発熱量が大きくて電力変換器を冷却するための冷却装置が搭載される。
【０００６】
特開２００５−１２８９０号公報においては、バッテリ、ＰＣＵ（Power Control Unit）、熱交換器、ウォータポンプおよび配管を備える駆動システムが開示されている。この駆動システムにおいて、熱交換器によって冷却された冷却水をウォータポンプによりバッテリおよびＰＣＵの順に配管中で循環させて、バッテリおよびＰＣＵを冷却することが開示されている。
【０００７】
また、特開平１１−６４３１号公報においては、粒子混入機構によりラジエータ入口配管内に冷却系流路面積よりも十分小さい粒子を混入させ、ラジエータのチューブ内を冷却液と粒子との混相状態で流通させ、ラジエータ通過後はラジエータ出口配管に設けられた遠心分離器で粒子を分離して粒子混入機構で再びラジエータ入口配管へ還流させる車両用エンジン冷却装置が開示されている。
【０００８】
特開平９−８８８９８号公報においては、ポンプ室の高圧部から取出した冷却水をトラップ室に導き、トラップ室で異物を沈殿して、浄化された冷却水をシール部材の摺動面に向けて噴射する異物除去装置を取付けたウォータポンプが開示されている。
【特許文献１】特開２００５−１２８９０号公報
【特許文献２】特開平１１−６４３１号公報
【特許文献３】特開平９−８８８９８号公報
【発明の開示】
【発明が解決しようとする課題】
【０００９】
前述の通り、たとえば、大きな電力を取扱う半導体素子などの発熱体の発熱量は大きく、このような発熱体は冷却器の表面に配置される。冷却器は、たとえば、半導体素子と冷却媒体との熱交換が行なうためのヒートシンクが配置される。ヒートシンクは、たとえば、板状のフィンを含み、フィン同士の間を冷却媒体が流れることによりヒートシンクが冷却される。
【００１０】
冷却媒体は、液体や気体などの流体を含む。冷却媒体は、たとえば、ポンプなどによって循環される。発熱体の熱を吸収した冷却媒体は、ラジエータを通ることにより冷却される。近年においては、発熱体を冷却するためのフィン同士の間隔が小さくなりつつある。フィン同士の間隔を小さくすることにより、冷却媒体とフィンとの接触面積が大きくなって熱伝達性能が向上する。
【００１１】
しかしながら、たとえば、フィン同士の間隔が小さくなることにより、異物がフィン同士の間に残留し易くなり、異物により流路が詰まってしまう場合があるという問題があった。異物がフィン同士の間に詰まってしまって冷却媒体の流れが阻害され、冷却性能が低下する場合があるという問題があった。
【００１２】
本発明は、流体中に存在する異物を除去するための異物除去装置を提供することを目的とする。
【課題を解決するための手段】
【００１３】
本発明に基づく異物除去装置は、羽根車と、上記羽根車を回転させる駆動機器とを備える。上記羽根車を内部に配置するためのケーシングを備える。上記ケーシングに接続され、流体が流れ出す流出流路を備える。上記流体に混入している異物を分離するための異物分離機器を備える。上記流出流路は、異物を取り除くための異物回収流路を含む。上記異物回収流路は、上記ケーシングの底部に接続されている。上記異物分離機器は、上記異物回収流路に配置されている。
【００１４】
上記発明において好ましくは、上記羽根車は、回転軸となるシャフトを含む。上記シャフトに固定されている複数の羽根部を含む。上記羽根部は、板状に形成されている。上記羽根部は、上記シャフトから外側に向かうように配置されている。上記羽根部は、面積が最大になる面積最大面が回転方向に対してほぼ垂直になるように配置されている。
【００１５】
上記発明において好ましくは、上記ケーシングの内面に固定されている異物除去ブラシを備える。上記異物除去ブラシは、上記羽根車が回転することにより上記羽根部に接触するように配置されている。
【００１６】
上記発明において好ましくは、上記異物分離機器は、異物を除去するためのフィルタを含む。
【００１７】
上記発明において好ましくは、上記流出流路は、上記異物回収機器を通らずに上記流体を排出するための排出流路を含む。
【発明の効果】
【００１８】
本発明によれば、流体中に存在する異物を除去するための異物除去装置を提供することができる。
【発明を実施するための最良の形態】
【００１９】
（実施の形態１）
図１から図６を参照して、実施の形態１における異物除去装置について説明する。本実施の形態における異物除去装置は、自動車に取付けられているＰＣＵを冷却するための冷却装置に配置されている。本実施の形態における自動車は、駆動源としてモータを含む自動車である。
【００２０】
図１は、本実施の形態における冷却装置の概略回路図である。本実施の形態における自動車は、ＰＣＵ２１を備える。本実施の形態におけるＰＣＵ２１は、直流の蓄電装置としてのバッテリ（図示せず）に接続されている。
【００２１】
ＰＣＵ２１は、蓄電装置からの直流電圧を受け、直流電圧を交流電圧に変換して、ＭＧ（Motor Generator）２２に電気を供給するように形成されている。また、ＰＣＵ２１は、回生発電時にＭＧ２２が発電した交流電圧を直流電圧に変換して、蓄電装置を充電するように形成されている。
【００２２】
本実施の形態における冷却装置は、ＰＣＵ２１およびＭＧ２２を冷却するように形成されている。本実施の形態における冷却装置は、ポンプ２３を備える。本実施の形態におけるポンプ２３は、ウォータポンプ（ＷＰ）である。ポンプ２３は、冷却媒体を循環させるために必要な圧力で吐出することができるように形成されている。
【００２３】
本実施の形態における冷却媒体は、ＬＬＣ（Long Life Coolant）である。本実施の形態における冷却媒体は、液体である。本実施の形態における冷却装置は、ラジエータ２４を備える。ラジエータ２４は、ポンプ２３の下流側に配置されている。ラジエータ２４は、流路８によってポンプ２３と接続されている。ラジエータ２４は、冷却媒体を冷却することができるように形成されている。本実施の形態におけるラジエータ２４は、冷却媒体を空冷にて冷却するように形成されている。
【００２４】
本実施の形態における冷却装置は、流路９を備える。流路９は、ラジエータ２４で冷却された冷却媒体をＰＣＵ２１に供給することができるように形成されている。
【００２５】
本実施の形態におけるＰＣＵ２１は、直流電圧を交流電圧に変換するインバータ装置を含む。インバータ装置は、ＭＯＳトランジスタやＩＧＢＴなどの発熱体を含む。インバータ装置が駆動することにより発熱する。冷却装置は、これらの発熱体を冷却するように形成されている。
【００２６】
本実施の形態における冷却装置は、流路１０を備える。流路１０は、ＰＣＵ２１を冷却した冷却媒体をＭＧ２２に供給するように形成されている。ＭＧ２２は、駆動することにより発熱する。または、回生発電時にも発熱する。冷却装置は、ＭＧ２２を冷却することができるように形成されている。
【００２７】
本実施の形態における冷却装置は、流路５を備える。本実施の形態における冷却装置は、異物除去装置４１を備える。流路５は、ＭＧ２２を冷却した冷却媒体を異物除去装置４１に供給することができるように形成されている。異物除去装置４１は、冷却媒体に存在する異物を除去することができるように形成されている。
【００２８】
本実施の形態における冷却装置は、流路７を備える。流路７は、異物除去装置４１から排出される冷却媒体をポンプ２３に供給することができるように形成されている。
【００２９】
ポンプ２３で吐出された冷却媒体は、矢印５１に示すように、流路８を通ってラジエータ２４に供給される。ラジエータ２４では熱交換が行なわれ冷却媒体が冷却される。ラジエータで冷却された冷却媒体は、矢印５２に示すように流路９を通ってＰＣＵ２１に供給される。冷却媒体によりＰＣＵ２１が冷却される。
【００３０】
ＰＣＵ２１を冷却した冷却媒体は、矢印５３に示すように、流路１０を通ってＭＧ２２に供給される。ＭＧ２２は、冷却媒体により冷却される。ＭＧ２２を冷却した冷却媒体は、矢印５４に示すように、流路５を通って異物除去装置４１に供給される。異物除去装置４１を通った冷却媒体は、矢印５５に示すように、ポンプ２３に供給される。このように、ポンプ２３が駆動することにより冷却媒体が循環する。
【００３１】
図２に、本実施の形態における異物除去装置の概略断面図を示す。図３に、本実施の形態における羽根車の部分の概略斜視図を示す。
【００３２】
図２および図３を参照して、本実施の形態における異物除去装置は、羽根車１を備える。羽根車１は、シャフト１ａと羽根部１ｂを含む。シャフト１ａは、羽根車１の回転軸である。シャフト１ａは、駆動機器としてのモータ２５に接続されている。モータ２５は、シャフト１ａを、矢印５８に示す向きに回転させることができるように形成されている。
【００３３】
本実施の形態における羽根車１は、複数の羽根部１ｂを含む。それぞれの羽根部１ｂは、シャフト１ａに固定されている。複数の羽根部１ｂは、シャフト１ａに等間隔で配置されている。羽根部１ｂは、板状に形成されている。羽根部１ｂは、シャフト１ａから外側に向かうように配置されている。
【００３４】
本実施の形態における羽根部１ｂは、面積が最大になる面積最大面が、回転する方向に対してほぼ垂直になるように配置されている。羽根部１ｂは、面積最大面が、回転軸とほぼ平行になるように配置されている。羽根部１ｂは、湾曲するように形成されている。羽根部１ｂは、矢印５８に示す羽根車１の回転する向きに対して中央部分が凹むように形成されている。
【００３５】
本実施の形態における異物除去装置は、ケーシング２を備える。ケーシング２は、羽根車１を内部に配置することができるように形成されている。異物除去装置は、ケーシング２に接続されている流入流路としての流路５を備える。流路５は、冷却媒体をケーシング２の内部に供給するように形成されている。
【００３６】
本実施の形態における異物除去装置は、ケーシングから流体が流れ出す流出流路を備える。流出流路は、異物回収機器としてのフィルタを通らずに、冷却媒体を排出するための排出流路としての流路７を含む。流路７は、ポンプ２３に接続されている。本実施の形態における流出流路は、異物を取り除くための異物回収流路６を含む。異物回収流路６は、ケーシング２の底部に接続されている。
【００３７】
本実施の形態における異物除去装置は、異物除去ブラシ１２を備える。異物除去ブラシ１２は、ケーシング２の内面に固定されている。異物除去ブラシ１２は、羽根車１に向かって飛び出すように形成されている。異物除去ブラシ１２は、ケーシング２の内面のうち、異物回収流路６が接続されている部分の下流側に配置されている。異物除去ブラシ１２は、異物回収流路６が接続されている部分の側方に配置されている。異物除去ブラシ１２は、羽根車１の羽根部１ｂと接触するように形成されている。
【００３８】
本実施の形態における異物除去装置は、異物分離機器としてのフィルタ１１を備える。フィルタ１１は、異物回収流路６に配置されている。フィルタ１１は、冷却媒体中に存在する異物４９を除去することができるように形成されている。
【００３９】
図４に、本実施の形態における半導体素子の冷却器の概略平面図を示す。本実施の形態におけるＰＣＵは、インバータ装置を備える。インバータ装置は、半導体素子３２を含む。半導体素子３２は、たとえば、ＩＧＢＴである。インバータ装置は、半導体素子３２を冷却するための冷却器を含む。
【００４０】
本実施の形態における冷却器は、ケース３１を備える。ケース３１は、隔壁３１ａを有する。ケース３１は、入口管３１ｂを有する。ケース３１は、出口管３１ｃを有する。冷却媒体は、矢印６０に示すように、入口管３１ｂからケース３１の内部に流入して、出口管３１ｃから排出される。
【００４１】
ケース３１の内部においては、冷却媒体が流れるように隔壁３１ａにより流路が形成されている。半導体素子３２は、それぞれの流路の幅方向のほぼ中央に配置されている。半導体素子３２は、冷却媒体が流れる流路に沿って配置されている。本実施の形態においては、４列で半導体素子３２が配置されている。
【００４２】
図５は、本実施の形態における冷却器の概略断面図である。図５は、図４の半導体素子が配置されている部分で切断したときの概略断面図である。図５は、図４におけるＶ−Ｖ線に関する矢視断面図である。
【００４３】
本実施の形態における冷却器は、はんだ３３および絶縁部材３４を備える。半導体素子３２は、はんだ３３を介して絶縁部材３４に固定されている。冷却器は、ヒートシンク３５を含む。ヒートシンク３５は、絶縁部材３４に固定されている。
【００４４】
本実施の形態におけるヒートシンク３５は、ベース部３５ａを含む。ベース部３５ａは、板状に形成されている。ベース部３５ａは、絶縁部材３４に固定されている。ヒートシンク３５は、放熱部３５ｂを含む。放熱部３５ｂは、ベース部３５ａから立設するように形成されている。放熱部３５ｂは、板状に形成されている。本実施の形態における放熱部３５ｂは、冷却フィンである。
【００４５】
ヒートシンク３５は、ケース３１の内部に配置されている。ヒートシンク３５は、放熱部３５ｂ同士の間を冷却媒体が流れることにより冷却される。半導体素子３２は、ヒートシンク３５、絶縁部材３４およびはんだ３３を介して冷却される。
【００４６】
図２および図３を参照して、本実施の形態においては、モータ２５が駆動することにより、羽根車１が矢印５８に示す向きに回転する。冷却媒体は、流路５を通ってケーシング２の内部に流入する。ケーシング２の内部に流入した冷却媒体は流出流路から排出される。ケーシング２の内部に流入した冷却媒体の一部は、異物回収流路６に流れ込む。冷却媒体の他の部分は流路７から排出される。
【００４７】
ケーシング２に流入する冷却媒体には異物４９が含まれる。羽根車１が回転することにより、異物４９に遠心力が付与される。異物４９は、ケーシング２の壁面近傍に集まる。ケーシング２の壁面近傍に集積した異物４９は、矢印５６に示すように、重力および遠心力により異物回収流路６に落下する。
【００４８】
異物回収流路６に配置されているフィルタ１１により異物４９が除去される。異物４９が除去された冷却媒体は、矢印５７に示すように、異物回収流路６を通って流路７に合流する。このように、冷却媒体に混入している異物４９を除去することができる。
【００４９】
本実施の形態においては、ケーシング２の内面に異物除去ブラシ１２が配置されている。この構成により、遠心分離や重力などで異物回収流路に導くことができなかった異物４９を異物除去ブラシ１２によって強制的に掻き出すことができる。すなわち、異物４９を異物回収流路６に導くことができる。または、異物除去ブラシ１２を異物回収流路６の側方に配置することにより、異物回収流路６からケーシング２に向かって冷却媒体が逆流することを抑制することができる。
【００５０】
本実施の形態における異物除去装置は、駆動機器としてのモータで羽根車を回転させるために、異物除去装置における圧力低下を排除することができ、効果的に異物を除去することができる。
【００５１】
また、本実施の形態における異物除去装置は、ポンプ２３の上流側に配置され、流路７を介してポンプ２３に接続されている。異物除去装置４１とポンプ２３との間には、被冷却機器などは配置されていない。このため、ポンプ２３から吐出する冷却媒体に含まれる異物を最少の状態とすることができ、ラジエータやＰＣＵの冷却器において、目詰まりが生じることを効果的に抑制することができる。
【００５２】
本実施の形態における異物除去装置は、固体状の異物や粘性を有する異物を除去することができる。本実施の形態における冷却装置は、冷却器の冷却フィン同士の間に異物が詰まったり、異物により冷却流路の流路断面積が小さくなったりすることを抑制でき、高い冷却性能を維持することができる。
【００５３】
図６に、本実施の形態におけるヒートシンクの拡大概略断面図を示す。本実施の形態における放熱部３５ｂは板状に形成されている。放熱部３５ｂは、面積が最大となる面積最大面同士が互いにほぼ平行になるように配置されている。放熱部３５ｂは、ピッチｄを空けて複数配置されている。
【００５４】
近年においては、半導体素子などの被冷却物の冷却効率を向上させるために、放熱部同士のピッチｄが小さくなる傾向にある。放熱部同士の間隔が狭くなると、小さな異物であっても放熱部に堰きとめられる。異物が放熱部に引っ掛かることにより、冷却媒体の流路の断面積が小さくなってしまう。このような放熱部同士の間隔が小さな冷却装置に本実施の形態における異物除去装置を配置することにより、異物除去の効果が顕著になる。
【００５５】
本実施の形態における流出流路は、異物回収機器を通らずに流体を排出するための排出流路を含む。この構成により、異物除去装置における圧力損失を小さくすることができる。また、たとえば、排出流路の断面積を調整することにより、異物回収流路に流れる冷却媒体の流量を調整することができる。
【００５６】
本実施の形態における冷却器の放熱部は、板状に形成されている冷却フィンを含むが、この形態に限られず、放熱部は任意の形状を採用することができる。たとえば、放熱部は、棒状に形成されていても構わない。
【００５７】
本実施の形態における羽根車の羽根部は湾曲しているが、この形態に限られず、羽根部は、平板状に形成されていても構わない。
【００５８】
本実施の形態においては、ケーシングの内面に異物除去ブラシが配置されているが、この形態に限られず、異物除去ブラシは配置されていなくても構わない。
【００５９】
本実施の形態における冷却媒体は液体であるが、この形態に限られず、任意の流体を採用することができる。たとえば、冷却媒体は、気体であっても構わない。
【００６０】
本実施の形態における異物分離機器はフィルタを含むが、この形態に限られず、異物回収流路に他の異物分離機器が配置されていても構わない。たとえば、異物回収流路に、異物を沈殿させるための沈殿槽が配置されていても構わない。
【００６１】
本実施の形態においては、自動車に搭載される電力変換器の冷却装置を例に取り上げて説明したが、この形態に限られず、任意の冷却装置に本実施の形態における異物除去装置を適用することができる。さらに、本実施の形態においては、冷却装置に異物除去装置が配置されているが、この形態に限られず、任意の流体を用いる装置に本発明の異物除去装置を配置することができる。
【００６２】
（実施の形態２）
図７および図８を参照して、実施の形態２における異物除去装置について説明する。本実施の形態における異物除去装置は冷却装置に配置されている。
【００６３】
図７に、本実施の形態における冷却装置の概略回路図を示す。本実施の形態における冷却装置は、異物除去装置４２を備える。異物除去装置４２は、実施の形態１におけるポンプの機能を兼ね備えている。異物除去装置４２は、冷却媒体を循環させるためのポンプの機能を有する。異物除去装置４２は、流路７を介してラジエータ２４に接続されている。
【００６４】
図８に、本実施の形態における異物除去装置の概略断面図を示す。異物除去装置が、羽根車１とケーシング２とを備え、ケーシング２の内部に羽根車１が配置されていることは、実施の形態１と同様である。羽根車１が、駆動機器としてのモータにより矢印５８に示す向きに回転することも実施の形態１と同様である。
【００６５】
本実施の形態におけるケーシング２および羽根車１は、排出流路としての流路７に向かって冷却媒体を排出するように形成されている。たとえば、羽根車１のシャフト１ａがケーシング２に対して偏心するように配置されている。
【００６６】
シャフト１ａに接続されたモータが駆動することにより、羽根車１が矢印５８に示す向きに回転する。羽根車１が回転することにより、矢印５６に示すように冷却媒体がフィルタ１１に向かって流れるとともに、矢印５５に示すように冷却媒体が流路７を通ってラジエータ２４に排出される。
【００６７】
フィルタ１１を通った冷却媒体は、矢印５７に示すように、異物回収流路６を通って排出される。本実施の形態においては、異物除去装置が冷却媒体を流すためのポンプを兼ねている。本実施の形態においては、冷却装置において冷却媒体を循環するためのポンプを排除することができて、構成を簡略化することができる。
【００６８】
その他の構成、作用および効果については、実施の形態１と同様であるのでここでは説明を繰返さない。
【００６９】
上述のそれぞれの図において、同一または相当する部分には、同一の符号を付している。
【００７０】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００７１】
【図１】実施の形態１における冷却装置の概略回路図である。
【図２】実施の形態１における異物除去装置の概略断面図である。
【図３】実施の形態１における異物除去装置の羽根車の概略斜視図である。
【図４】実施の形態１におけるＰＣＵの冷却器の概略平面図である。
【図５】実施の形態１におけるＰＣＵの冷却器の概略断面図である。
【図６】実施の形態１におけるＰＣＵの冷却器のヒートシンクの拡大概略断面図である。
【図７】実施の形態２における冷却装置の概略回路図である。
【図８】実施の形態２における異物除去装置の概略断面図である。
【符号の説明】
【００７２】
１  羽根車、１ａ  シャフト、１ｂ  羽根部、２  ケーシング、６  異物回収流路、５，７〜１０  流路、１２  異物除去ブラシ、１１  フィルタ、２１  ＰＣＵ（Power Control Unit）、２２  ＭＧ（Motor Generator）、２３  ポンプ、２４  ラジエータ、２５  モータ、３１  ケース、３１ａ  隔壁、３１ｂ  入口管、３１ｃ  出口管、３２  半導体素子、３３  はんだ層、３４  絶縁部材、３５  ヒートシンク、３５ａ  ベース部、３５ｂ  放熱部、４１，４２  異物除去装置、４９  異物、５１〜５８，６０  矢印。
【図１】
2008261241.tif 000003
【図２】
2008261241.tif 000004
【図３】
2008261241.tif 000005
【図４】
2008261241.tif 000006
【図５】
2008261241.tif 000007
【図６】
2008261241.tif 000008
【図７】
2008261241.tif 000009
【図８】
2008261241.tif 000010